(57)【要約】【課題】本発明は、着信側の携帯電話がサービスエリア外、電源ＯＦＦ、または通話中であっても、着信側の携帯電話に対して発信側の携帯電話の電話番号および着信のあった日時を知らせる着信情報格納通知システムを提供することを課題とする。【解決手段】通話を行う際に用いる通信手段である発信側の携帯電話１０および着信側の携帯電話１１と電波の送受信を行う基地局２０，…，２３と、通話路を適切に設定するための発信側の交換機３０および着信側の交換機３１と、発信側の交換機３０および着信側の交換機３１を繋ぐネットワーク４０と、発信側の携帯電話１０および着信側の携帯電話１１の電話番号を記憶するための記憶手段と、着信側の携帯電話１１に対して発信側の携帯電話１０の電話番号を通知するための通知手段とを有する着信情報格納通知サーバ５０を備えている。【選択図】　　　図１
2004032696.tif 000002
【特許請求の範囲】
【請求項１】
呼が留守番電話装置に転送されると発呼者のメッセージが録音されたか否かにかかわらず着呼側携帯電話機への着信日時を記憶する記憶手段と、前記着信日時を前記着呼側携帯電話機に無線で送信する無線送信手段とを有することを特徴とする着信情報格納通知システム。
【請求項２】
前記無線送信手段が、前記着信日時を文字情報により送信することを特徴とする請求項１に記載の着信情報格納通知システム。
【請求項３】
前記無線送信手段が、前記着信日時を音声情報により送信することを特徴とする請求項１に記載の着信情報格納通知システム。
【請求項４】
前記無線送信手段が、前記着信側携帯電話機からの位置登録の要求があると前記着信日時を送信することを特徴とする請求項１乃至３のいずれか一項に記載の着信情報格納通知システム。
【請求項５】
前記無線送信手段が、周期的に前記着信日時を送信することを特徴とする請求項１乃至３のいずれか一項に記載の着信情報格納通知システム。
【請求項６】
位置登録要求に関する第一の信号を基地局に送信する無線送信手段と、前記第一の信号に応答して送られてくる第二の信号であって、発呼者メッセージが留守番電話装置に録音されたか否かにかかわらず記憶される着信日時に関する前記第二の信号を受信する無線受信手段とを有することを特徴とする携帯電話機。
【請求項７】
前記無線受信手段が、前記第二の信号を文字情報により受信することを特徴とする請求項６に記載の携帯電話機。
【請求項８】
前記無線受信手段が、前記第二の信号を音声情報により受信することを特徴とする請求項６に記載の携帯電話機。
【発明の詳細な説明】
【０００１】
【発明の属する技術分野】
本発明は、デジタル移動電話システムにおける発信情報通知技術に係り、特に発信側の携帯電話での発信時に着信側の携帯電話の電話番号を送信する際に発信側の電話番号を一緒に送信し着信側の携帯電話に誰からの着信かを知らせる着信情報格納通知システムに関する。
【０００２】
【従来の技術】
従来、一般的なデジタル移動電話システムにおいて、発信側の携帯電話での発信時に着信側の携帯電話の電話番号を送信する際に発信側の電話番号を一緒に送信し着信側の携帯電話に誰からの着信かを知らせる発信者番号通知システムが一般的になっている。また、一般の固定電話においても発信者番号通知は一般的になりつつある。
【０００３】
【発明が解決しようとする課題】
しかしながら、従来技術には以下に掲げる問題点があった。上記の処理は携帯電話内の時計機能を基に実行されるため、携帯電話本体の日時設定が間違っていると正確な着信日時が表示できないばかりか、着信側の携帯電話が携帯電話の電源をＯＮにしてサービスエリア内に居りかつ呼び出しが可能な場合のみに限られている。すなわち、着信側の携帯電話がサービスエリア外に居るとき、あるいは電源ＯＦＦになっているとき、または通話中のときなどのように、着信側の携帯電話の呼び出しができない場合には、発信側の携帯電話が着信側の携帯電話に対して電話を掛けたことすら知ることができない。これが第１の問題点である。
【０００４】
そして、第２の問題点は、着信側の携帯電話の呼び出しができない場合に留守番電話用サーバに接続されることがあり、もし発信側の携帯電話が音声メッセージを録音しなければ、着信側の携帯電話は着信があったのかも知ることができず、仮に発信側の携帯電話が音声メッセージを録音した場合でも、発信側の携帯電話の電話番号通知が無いため、誰からのメッセージなのかを録音メッセージにより判断しなければならないことである。
【０００５】
本発明は斯かる問題点を鑑みてなされたものであり、その目的とするところは、着信側の携帯電話がサービスエリア外、電源ＯＦＦ、または通話中であっても、着信側の携帯電話に対して発信側の携帯電話の電話番号および着信のあった日時を知らせる着信情報格納通知システムを提供する点にある。
【０００６】
【課題を解決するための手段】
本発明の着信情報格納通知システムは、呼が留守番電話装置に転送されると発呼者のメッセージが録音されたか否かにかかわらず着呼側携帯電話機への着信日時を記憶する記憶手段と、前記着信日時を前記着呼側携帯電話機に無線で送信する無線送信手段とを有することを特徴とする。また、本発明の携帯電話機は、位置登録要求に関する第一の信号を基地局に送信する無線送信手段と、前記第一の信号に応答して送られてくる第二の信号であって、発呼者メッセージが留守番電話装置に録音されたか否かにかかわらず記憶される着信日時に関する前記第二の信号を受信する無線受信手段とを有することを特徴とする。
【０００７】
【発明の実施の形態】
以下に示す各実施の形態の第１の特徴は、発信側の携帯電話が発信したにもかかわらず、着信側の携帯電話がサービスエリア外にいるか、携帯電話の電源をＯＦＦにしているか、もしくは通話中で呼び出すことができない場合に、発信側の携帯電話ならびに着信側の携帯電話の電話番号、および着信があったときの日時を記憶する手段を具備している点にある。
【０００８】
また、第２の特徴は、周期的に文字メッセージにより発信側の携帯電話の電話番号および着信のあった日時を着信側の携帯電話に対して通知する手段を具備している点にある。
【０００９】
そして、第３の特徴は、上記手段を用いて、着信側の携帯電話がサービスエリア外、電源ＯＦＦ、または通話中であっても、着信側の携帯電話に対して発信側の携帯電話の電話番号および着信のあった日時を知らせる手段を具備している点にある。以下、本発明の実施の形態を図面に基づいて詳細に説明する。
【００１０】
（第１の実施の形態）
次に、図面に基づき本発明の第１の実施の形態を説明する。図１は、本発明の第１の実施の形態に係る着信情報格納通知システムを説明するための機能ブロック図である。図１において、１０は発信側の携帯電話、１１は着信側の携帯電話、２０，２１は発信側の基地局、２２，２３は着信側の基地局、３０は発信側の交換機、３１は着信側の交換機、４０はネットワーク、５０は着信情報格納通知サーバ、１００は着信情報格納通知システムを示している。
【００１１】
図１を参照すると、本発明の第１の実施の形態に係る着信情報格納通知システム１００は、通話を行う際に用いる通信手段である発信側の携帯電話１０および着信側の携帯電話１１と、発信側の携帯電話１０および着信側の携帯電話１１と電波の送受信を行う基地局２０，…，２３と、通話路を適切に設定するための発信側の交換機３０および着信側の交換機３１と、発信側の交換機３０および着信側の交換機３１を繋ぐネットワーク４０と、発信側の携帯電話１０および着信側の携帯電話１１の電話番号を記憶するための記憶手段と、着信側の携帯電話１１に対して発信側の携帯電話１０の電話番号を通知するための通知手段とを有する着信情報格納通知サーバ５０を備えている。
【００１２】
本実施の形態の全体の動作について詳細に説明する。ここでは、携帯電話を用いた発信を携帯電話で着信するケースについて説明する。図２は、第１の実施の形態の着信情報格納通知システムで用いられる着信情報を説明するためのテーブルである。
【００１３】
本実施の形態では、まず、発信者側が着信側の携帯電話１１の電話番号とともに発信側の携帯電話１０の電話番号を送信することのできる発信側の携帯電話１０を用いて発信処理を実行し、発信側の基地局２１を介して、発信側の携帯電話１０からの通話接続をすることで、発信側の携帯電話１０の電話番号と着信側の携帯電話１１の電話番号が発信側の交換機３０に達する。
【００１４】
通常はそれらの情報（発信側の携帯電話１０の電話番号と着信側の携帯電話１１の電話番号の情報）を用い、ネットワーク４０、着信側の交換機３１、および着信側の基地局２２を介して着信側の携帯電話１１を呼び出す。一方、着信側の携帯電話１１がサービスエリア外にいるか、着信側の携帯電話１１の電源をＯＦＦにしているか、もしくは通話中で呼び出すことができない場合には、発信側の携帯電話１０ならびに着信側の携帯電話１１の電話番号、および着信があったときの日時を着信情報格納通知サーバ５０に記憶させる。例えば、図２に示すような着信情報（着信日時（年／月／日／時刻）、発信者電話番号、着信者電話番号）である。
【００１５】
サーバは周期的に（例えば、本実施の形態では１５分おきに）着信情報テーブルから着信履歴を取り出し、着信情報を文字情報によって着信側の携帯電話１１に送信し、着信側の携帯電話１１が正常に受信できれば該当する着信情報を消去する。このとき、着信側の携帯電話１１が正常に受信できなければ該当する着信情報をそのまま残すとともに、適当な時間の後に再送信を実行する。すなわち、着信側の携帯電話１１が正常に受信できるまで周期的に着信情報を送信し続ける。
【００１６】
これらの手順を実行することによって、発信側の携帯電話１０の電話番号および着信のあった日時（着信履歴）を着信側の携帯電話１１に対して通知することができる。また、発信側の携帯電話１０の電話番号から着信側の携帯電話１１内の電話帳データとの連動で、着信側の携帯電話１１上に発信側の携帯電話１０の電話番号とともに発信側の携帯電話１０の名前を表示することもできる。
【００１７】
本実施の形態の着信側の携帯電話１１に表示される文字メッセージは、例えば、「１９９９／１１／０１／１１：３９　着信がありました。０９０−１１１１−２２２２　日電　太郎」のようなものが望ましい。
【００１８】
以上説明したように第１の実施の形態によれば、発信側の携帯電話１０が発信したにもかかわらず、着信側の携帯電話１１がサービスエリア外にいるか、着信側の携帯電話１１の電源をＯＦＦにしているか、もしくは通話中で呼び出すことができない場合に、発信側の携帯電話１０ならびに着信側の携帯電話１１の電話番号、および着信があったときの日時を記憶する手段と、周期的に文字メッセージにより発信側の携帯電話１０の電話番号および着信のあった日時を着信側の携帯電話１１に対して通知する手段と、上記手段を用いて、着信側の携帯電話１１がサービスエリア外、電源ＯＦＦ、または通話中であっても、着信側の携帯電話１１に対して発信側の携帯電話１０の電話番号および着信のあった日時を知らせる手段を具備しているので、着信側の携帯電話１１を呼び出せなかった場合に、発信側の携帯電話１０の電話番号と着信側の携帯電話１１の電話番号および着信日時、時刻の情報を着信情報格納通知サーバ５０に格納することによって、着信側の携帯電話１１に対して周期的にそれらの情報を送ることができるようになる。その結果、着信側の携帯電話１１が呼び出し不能の状態にあったときの着信履歴を得ることができるようになるといった効果を奏する。
【００１９】
（第２の実施の形態）
次に、図面に基づき本発明の第２の実施の形態を説明する。なお、上記実施の形態において既に記述したものと同一の部分については、同一符号を付し、重複した説明は省略する。図３は、本発明の第２の実施の形態に係る着信情報格納通知システムを説明するための機能ブロック図、図４は、第２の実施の形態の着信情報格納通知システムで用いられる着信情報を説明するためのテーブルである。図３において、１０は発信側の携帯電話、１１は着信側の携帯電話、２０，２１は発信側の基地局、２２，２３は着信側の基地局、３０は発信側の交換機、３１は着信側の交換機、４０はネットワーク、５０は着信情報格納通知サーバ、６０は留守番電話装置、１００は着信情報格納通知システムを示している。
【００２０】
図３を参照すると、本実施の形態の着信情報格納通知システム１００は、発信側の携帯電話１０と、着信側の携帯電話１１と、発信側の基地局２０，２１と、着信側の基地局２２，２３と、発信側の交換機３０と、着信側の交換機３１と、ネットワーク４０と、着信情報格納通知サーバ５０と、留守番電話装置６０を備えている。
【００２１】
次に、第２の実施の形態の全体の動作を図３，４を参照して詳細に説明する。図３を参照すると、本実施の形態では、まず、発信者側が着信側の携帯電話１１の電話番号とともに発信側の携帯電話１０の電話番号を送信することのできる発信側の携帯電話１０から発信処理を実行し、発信側の基地局２１を介して、発信側の携帯電話１０からの通話接続を実行することで、発信側の携帯電話１０の電話番号と着信側の携帯電話１１の電話番号が発信側の交換機３０に達する。
【００２２】
通常はそれらの情報（発信側の携帯電話１０の電話番号と着信側の携帯電話１１の電話番号の情報）を用い、ネットワーク４０、着信側の交換機３１、および着信側の基地局２２を介して着信側の携帯電話１１を呼び出す。一方、着信側の携帯電話１１がサービスエリア外にいるか、着信側の携帯電話１１の電源をＯＦＦにしているか、もしくは通話中で呼び出すことができず、留守番電話装置６０に転送される場合には、メッセージを録音したか否かにかかわらず、着信情報格納通知サーバ５０に発信側の携帯電話１０の電話番号、着信側の携帯電話１１の電話番号、および着信のあった日時および録音されたメッセージの長さを記憶する。例えば、図４に示すような着信情報（着信日時（年／月／日／時刻）、発信者電話番号、着信者電話番号、メッセージの長さ（単位は［分：秒］））である。
【００２３】
続いて、これらの着信情報を文字情報によって着信側の携帯電話１１に送信し、着信側の携帯電話１１が正常に受信できれば該当する着信情報を消去する。着信側の携帯電話１１が正常に受信できなければ該当する着信情報をそのまま残すとともに、適当な時間の後再送信する。すなわち、着信側の携帯電話１１が正常に受信できるまで周期的に着信情報を送信し続ける。
【００２４】
これらの手順によって、発信側の携帯電話１０の電話番号、着信のあった日時およびメッセージの長さ（着信履歴）を着信側の携帯電話１１に対して通知することができる。また、発信側の携帯電話１０の電話番号から着信側の携帯電話１１内の電話帳データとの連動で、着信側の携帯電話１１上に発信側の携帯電話１０の電話番号とともに発信側の携帯電話１０の名前を表示することもできる。
【００２５】
本実施の形態の着信側の携帯電話１１に表示される文字メッセージは、例えば、「１９９９／１１／０１／１１：３９　留守番電話に着信がありました。０９０−１１１１−２２２２　日電　太郎　１分２５秒」のようなものが望ましい。
【００２６】
（第３の実施の形態）
次に、図面に基づき本発明の第３の実施の形態を図５を参照して説明する。なお、上記実施の形態において既に記述したものと同一の部分については、同一符号を付し、重複した説明は省略する。図５は、本発明の第３の実施の形態に係る着信情報格納通知システムを説明するための機能ブロック図である。図５において、１０は発信側の携帯電話、１１は着信側の携帯電話、２０，２１は発信側の基地局、２２，２３は着信側の基地局、３０は発信側の交換機、３１は着信側の交換機、４０はネットワーク、５０は着信情報格納通知サーバ、６０は留守番電話装置、７０はＨＬＲ（Ｈｏｍｅ　Ｌｏｃａｔｉｏｎ　Ｒｅｇｉｓｔｅｒ：加入者の情報を管理するデータベース）、１００は着信情報格納通知システムを示している。
【００２７】
図５を参照すると、本実施の形態の着信情報格納通知システム１００は、発信側の携帯電話１０と、着信側の携帯電話１１と、発信側の基地局２０，２１と、着信側の基地局２２，２３と、発信側の交換機３０と、着信側の交換機３１と、ネットワーク４０と、着信情報格納通知サーバ５０と、留守番電話装置６０と、ＨＬＲ７０を備えている。
【００２８】
次に、第３の実施の形態の全体の動作を図５を参照して詳細に説明する。図５を参照すると、本実施の形態では、まず、発信者側が発信側の携帯電話１０を用いて着信側の携帯電話１１に対して発信するが、このときに着信側の携帯電話１１がサービスエリア外、着信側の携帯電話１１の電源ＯＦＦあるいは通話中で呼び出せない場合、着信情報格納通知サーバ５０に発信側の携帯電話１０の電話番号、着信側の携帯電話１１の電話番号および着信日時を記憶すると同時に、留守番電話装置６０に転送された場合にはメッセージの録音時間も併せて記憶する。
【００２９】
その後、着信側の携帯電話１１が呼び出し可能な状態になり、ＨＬＲ７０（Ｈｏｍｅ　Ｌｏｃａｔｉｏｎ　Ｒｅｇｉｓｔｅｒ：加入者の情報を管理するデータベース）に位置登録要求信号が送信されるとすぐに、ＨＬＲ７０は着信側の携帯電話１１が呼び出し可能になったことを着信情報格納通知サーバ５０に対して通知する。
【００３０】
当該通知を受けた着信情報格納通知サーバ５０は、着信側の携帯電話１１に対して格納された着信情報を送信する。
【００３１】
これらの手順を実行することによって、着信側の携帯電話１１は呼び出し不可能であったときの着信履歴を知ることができる。
【００３２】
（第４の実施の形態）
次に、本発明の第４の実施の形態を説明する。なお、上記実施の形態において既に記述したものと同一の部分については、同一符号を付し、重複した説明は省略する。本実施の形態では、発信者側が着信側の携帯電話１１に対して発信する点は上記実施の形態と同様であるが、着信側の携帯電話１１がサービスエリア外、電源ＯＦＦ、または通話中で呼び出せない場合に、着信情報格納通知サーバ５０に発信側の携帯電話１０の電話番号、着信側の携帯電話１１の電話番号および着信日時を記憶する。また、留守番電話に転送された場合にはメッセージの録音時間も併せて記憶する点、およびそれらの着信情報を文字情報では無く、音声情報によって着信側の携帯電話１１に対して送信し、呼び出し不可能なときの着信履歴を知らせることができる点に特徴を有している。
【００３３】
なお、本発明が上記各実施の形態に限定されず、本発明の技術思想の範囲内において、各実施の形態は適宜変更され得ることは明らかである。また上記構成部材の数、位置、形状等は上記実施の形態に限定されず、本発明を実施する上で好適な数、位置、形状等にすることができる。また、各図において、同一構成要素には同一符号を付している。
【００３４】
【発明の効果】
本発明は以上のように構成されているので、着信側の携帯電話がサービスエリア外にいるか、電源がＯＦＦにされているか、もしくは通話中で、着信側の携帯電話を呼び出せなかった場合に、発信側の携帯電話の電話番号と着信側の携帯電話の電話番号および着信日時、時刻の情報を着信情報格納通知サーバに格納することによって、着信側の携帯電話に対して周期的にそれらの情報を送ることができるので、着信側の携帯電話が呼び出し不能の状態にあったときの着信履歴を得ることができるようになるといった効果を奏する。
【図面の簡単な説明】
【図１】本発明の第１の実施の形態に係る着信情報格納通知システムを説明するための機能ブロック図である。
【図２】第１の実施の形態の着信情報格納通知システムで用いられる着信情報を説明するためのテーブルである。
【図３】本発明の第２の実施の形態に係る着信情報格納通知システムを説明するための機能ブロック図である。
【図４】第２の実施の形態の着信情報格納通知システムで用いられる着信情報を説明するためのテーブルである。
【図５】本発明の第３の実施の形態に係る着信情報格納通知システムを説明するための機能ブロック図である。
【符号の説明】
１０…発信側の携帯電話
１１…着信側の携帯電話
２０，２１…発信側の基地局
２２，２３…着信側の基地局
３０…発信側の交換機
３１…着信側の交換機
４０…ネットワーク
５０…着信情報格納通知サーバ
６０…留守番電話装置
７０…ＨＬＲ
１００…着信情報格納通知システム
【図１】
2004032696.tif 000003
【図２】
2004032696.tif 000004
【図３】
2004032696.tif 000005
【図４】
2004032696.tif 000006
【図５】
2004032696.tif 000007